(57)【要約】      （修正有）【課題】壷や甕などの口部に嵌合して塞ぐための栓に関し、それらの口部が粗面となっていても十分な密着性を保持でき、かつ繰り返しの開閉操作においても、損傷することなく、十分な耐久性を有し、しかも口部が非真円であっても、十分な密封性を発揮することができる、壷用栓を提供する。【解決手段】壷などの容器の口部に嵌合して塞ぐための栓において、栓本体の上部に、握り部となるキャップ３１が固着されており、該栓本体は、硬質材による栓芯体３３と、弾性ゴム材による外周層３２の二重構造となっており、該外周層に複数の縦穴３４が設けられていることを特徴とする壷用栓である。【選択図】図２
0003162180.tif 000002
【実用新案登録請求の範囲】
【請求項１】
壷などの容器の口部に嵌合して塞ぐための栓において、栓本体の上部に、握り部となるキャップ部が固着されており、該栓本体は、硬質材による栓芯体と、弾性ゴム材による外周層の二重構造となっており、該外周層に複数の縦穴が設けられていることを特徴とする壷用栓。
【請求項２】
前記の外周層に設けられた縦穴の水平断面が多角形であることを特徴とする壷用栓。
【請求項３】
壷などの容器の口部に嵌合して塞ぐための栓において、栓本体の上部に、握り部となるキャップ部が固着されており、該栓本体は、硬質材による栓芯体と、弾性ゴム材による外周層の二重構造となっており、該外周層の内面側に縦溝による空間部が設けられていることを特徴とする壷用栓。
【請求項４】
壷などの容器の口部に嵌合して塞ぐための栓において、栓本体は、硬質材による栓芯体と、弾性ゴム材による外周層の二重構造となっており、該弾性ゴム材によりなる外周層に対して、硬質材による栓芯体が回動するように設けられており、該外周層の内面側に凹凸が形成されており、該凹凸に嵌合するように、栓芯体の外周面も凹凸状に形成されていることを特徴とする壷用栓。
【請求項５】
壷などの容器の口部に嵌合して塞ぐための栓において、栓本体が弾性ゴム材により中空状に形成されており、該栓本体の弾性ゴム壁を外側に拡張させるための拡張部材が設けられており、該拡張部材はネジにより上下動するように設けられていることを特徴とする壷用栓。
【考案の詳細な説明】
【技術分野】
【０００１】
本考案は、壷や甕などの口部に嵌合して塞ぐための栓に関し、特に焼き物の口部のように、真円でない口部を塞ぐのに適した栓に関する。
【背景技術】
【０００２】
従来より、酒類などを焼き物の壷や甕などに注入して長期保存することが行なわれている。特に泡盛などでは、陶器製の壷に入れて保存することにより、熟成されてまろやかな味わいとなるため、古酒として販売されている。
【０００３】
陶器より発生する遠赤外線による水分子の微細化作用とアルコール分子と水分子の結合促進作用と、陶器中のミネラル成分が泡盛中に溶け込むことによる改質作用などにより、熟成が促進され、まろやかな古酒の味わいが発揮される。
【０００４】
また、近年では、単に酒類を保存するための壷という考え方から、観賞用としての付加価値が重要視されるようになってきた。有名陶芸家などの製作による芸術的価値を有するオリジナルの陶器製あるいはガラス製の壷に泡盛を入れて熟成させたものもある。また、陶磁器の成分を調整し、強い遠赤外線が発生するものや磁性を帯びさせるようにして、熟成期間を必要とする酒類、例えば泡盛などの熟成期間を短縮できるようにしたものなど、酒類用の陶器製やガラス製の壷や甕などの需要は益々高まっている。
【０００５】
このように、酒類の容器として、焼き物の壷や甕などが多く使用されるようになるとともに、これらの密封用の栓も種々開発されるようになってきた。壷用の栓としては、従来より、コルク栓が一般的であるが、近年ではプラスチック樹脂製栓なども広く用いられるようになってきた。
【０００６】
図１０は、従来の壷用栓の実施例を示す垂直断面図である。栓本体２０の上部に、栓をはめ込んだり、抜き取ったりするための握り部となるキャップ２１が固着されている。該キャップ２１は、木製または樹脂製であり、円盤状に形成されている。栓本体２０は、コルク材または、プラスチック樹脂材などで形成されており、壷の口部２２の口径に合わせて製作される。
【０００７】
栓本体２０がコルク栓の場合には、耐摩耗性が悪く、損傷しやすい。壷などでは、口部２２の内面側は粗面となっているため、栓の開け閉め時にコルク外面が壷の口部内周面２２ａと擦れて損傷し、壷内に損傷屑が混入してしまうなど、耐久性に問題があり、繰り返し使用には不向きである。
【０００８】
栓本体２０がプラスチック樹脂製栓の場合には、耐久性は良くなるが、弾力性がないために、壷などの粗面となっている口部内周面２２ａとの密着性は不十分であり、また、壷などの口部２２が真円でないものには使用できない。酒類は揮発性が高いために密封性が悪い場合には、アルコール分などが蒸発してしまい、変質してしまう。
【０００９】
また、特開平５−４２１５２号のように、栓本体２０に弾性を有するシリコーンゴムを用いた栓も開発されている。この場合には、壷の口部内周面２２ａの粗面への密着性が良く、耐久性も優れている。しかしながら、粗面への密着度は良いが、口部２２が非真円の場合には、十分な密封性を保つことは困難である。
【先行技術文献】
【特許文献】
【００１０】
【特許文献１】特開平５−４２１５２号公報
【考案の概要】
【考案が解決しようとする課題】
【００１１】
本考案は、このような従来の壷用栓の問題点に鑑みてなされたものであり、壷や甕などの口部が粗面となっていても十分な密着性を保持でき、かつ繰り返しの開閉操作においても、損傷することなく、十分な耐久性を有し、しかも口部が非真円であっても、十分な密封性を発揮することができる、壷用栓を実現するためになされたものである。
【課題を解決するための手段】
【００１２】
上記の課題を解決するために、本考案の請求項１は、壷などの容器の口部に嵌合して塞ぐための栓において、栓本体の上部に、握り部となるキャップ部が固着されており、該栓本体は、硬質材による栓芯体と、弾性ゴム材による外周層の二重構造となっており、該外周層に複数の縦穴が設けられていることを特徴とする壷用栓とするものである。
【００１３】
該キャップは、栓本体の上部に設けられており、栓本体を壷などの口部に、押込んだり、引き抜いたりするための握り部となるものならばいずれでも良く、円盤状としても良く、引き抜き用の取手などを設けたものでも良く、材質は、軽量で硬質なものが良く、樹脂製あるいは木製でも良い。
【００１４】
該栓本体は、栓の芯部が硬い栓芯体よりなり、外周層部が弾性ゴム材で構成される二重構造となっており、外周層に複数の縦穴が設けられたものであり、たとえば、芯部を硬質樹脂により、円棒状に形成し、外周部をシリコーンゴムにより形成した二重層構造とし、該シリコーンゴムによる外周層部には適当な間隔で縦穴を設けたものでも良い。
【００１５】
栓芯体は、硬質材ならばいずれでも良く、例えば、金属製やセラミックス製や硬質樹脂製などでも良い。外周層は、弾性を有し、耐久性の高いゴム材ならばいずれでも良く、アルコールにより変質しないものが良い。例えば、シリコーンゴムやフッソゴムなどを用いても良い。
【００１６】
また、図３に示すように、栓本体３５の先端側を細くしてもよい。縦穴も先端側が細くなっているものでもよい。特に口部の径の小さい壺などに適している。
【００１７】
該縦穴がクッションとなり、壺や甕の口部が真円でない場合においても、密封性を確保できる。また、弾性ゴム材のために、口部の内周面が粗面であっても密着性が良い。さらに、弾性ゴムは、耐久性が良く、コルク材のように使用中に損傷することはないので、長期使用が可能となる。
【００１８】
請求項２は、前記の外周層に設けられた縦穴の水平断面が多角形であることを特徴とする壷用栓とするものである。
【００１９】
該縦穴は、円形穴の他に、楕円形、三角、四角、あるいは台形などクッション性を発揮できるものであればいずれの断面形状でもよい。また、複数の穴は複数種類の断面形状の穴を組み合わせてもよい。
【００２０】
請求項３は、図６に例示するように、壷などの容器の口部に嵌合して塞ぐための栓において、栓本体１の上部に握り部となるキャップ２が固着されており、該栓本体１は、硬質材による栓芯体３と、弾性ゴム材による外周層４の二重構造となっており、該外周層４の内面側に縦溝による空間部５が設けられている壷用栓である。
【００２１】
該キャップ２は、栓本体１の上部に設けられており、栓本体１を壷などの口部に、押込んだり、引き抜いたりするための握り部となるものならばいずれでも良く、図６（１）に示すように、中空な円盤状としても良く、引き抜き用の取手などを設けたものでも良く、材質は、軽量で硬質なものが良く、樹脂製あるいは木製でも良い。
【００２２】
該栓本体１は、栓の芯部が硬い栓芯体３よりなり、外周層４部が弾性ゴム材で構成される二重構造となっており、弾性ゴム材の内面部に縦溝による空間部５が設けられたものであり、例えば、図６に示すように、芯部を硬質樹脂により、円筒状に形成し、外周部をシリコーンゴムにより形成した二重層構造とし、該シリコーンゴム層の内面側に縦溝を設け、空間部５を形成したものでも良い。栓芯体３は、硬質材ならばいずれでも良く、例えば、金属製やセラミックス製や硬質樹脂製などでも良い。外周層４は、弾性を有し、耐久性の高いゴム材ならばいずれでも良く、アルコールにより変質しないものが良い。例えば、シリコーンゴムやフッソゴムなどを用いても良い。
【００２３】
請求項３のように、栓本体１の上部に握り部となるキャップ２が固着されており、該栓本体１は、硬質材による栓芯体３と、弾性ゴム材による外周層４の二重構造となっており、該外周層４の内面側に縦溝による空間部５が設けられていると、該縦溝により形成される空間部５がクッションとなり、壷の口部の内周面の形状に対応して密着させることができ、口部の形状が真円でない場合でも、十分な密封性を発揮することができる。また、弾性ゴム材のために、口部の内周面が粗面であっても密着性が良い。さらに、弾性ゴムは、耐久性が良く、コルク材のように使用中に損傷することはないので、長期使用ができる。  
【００２４】
請求項４は、図７に例示するように、壷などの容器の口部に嵌合して塞ぐための栓において、栓本体１ａは、硬質材による栓芯体３ａと、弾性ゴム材による外周層４ａの二重構造となっており、該弾性ゴム材によりなる外周層４ａに対して、硬質材による栓芯体３ａが回動するように設けられており、該外周層４ａの内面側に凹凸が形成されており、該凹凸に嵌合するように、栓芯体３ａの外周面も凹凸状に形成されている壷用栓である。
【００２５】
該外周層４ａの内側と、栓芯体３ａの外周面は、凹凸状に形成されるものならばいずれでも良く、例えば、波形状や折れ線状の凹凸を設けても良く、図７に示すように、鋸刃状の水平断面を有するように凹凸を形成したものでも良い。
【００２６】
請求項４のように、栓本体１ａは、硬質材による栓芯体３ａと、弾性ゴム材による外周層４ａの二重構造となっており、該弾性ゴム材によりなる外周層４ａに対して、硬質材による栓芯体３ａが回動するように設けられており、該外周層４ａの内面側に凹凸が形成されており、該凹凸に嵌合するように、栓芯体３ａの外周面も凹凸状に形成されていると、該弾性材による外周層４ａに対して、硬質材による栓芯体３ａを回動させることにより、栓本体１ａの外径が拡張するため、壷などの口部を確実に密封することができる。
【００２７】
すなわち、図７（２）に示すように、栓芯体３ａが回動することにより、嵌合していた栓芯体３ａと外周層４ａの凹凸部がずれる。このため、柔らかい弾性ゴム材による外周層４ａは、硬質材による栓芯体３ａに押されて、外側へ拡張する。この拡張により、弾性ゴム材の外周層４ａが壷の口部６内周面に押圧され、強く密着し、壷の口部６を完全に密封することができる。
【００２８】
手作りによる陶器やガラス製品は、口部の口径を正確に同じに製作することは困難であり、また、ひとつひとつに微妙な焼具合の違いがあるところに、高い付加価値が存在するものである。このため、栓本体１ａの外径は、出来上がった壷の口径に完全に一致していないため、酒類を壷に注入後、密封性を確認する必要があり、場合によっては、栓の口径を修正することもある。本考案のように、栓の外径を変化させることができると、栓の閉止後に密封度を調整することができるため、栓の密封性の信頼度を著しく高めることができる。
【００２９】
請求項５は、図８（１）に例示するように、壷などの容器の口部６に嵌合して塞ぐための栓において、該栓本体１ｂが弾性ゴム材により中空状に形成されており、該栓本体１ｂの弾性ゴム壁を外側に拡張させるための拡張部材７ａが設けられており、該拡張部材７ａはネジ８ａにより上下動するように設けられている壷用栓である。
【００３０】
該栓本体は、弾性ゴムによる中空栓ならばいずれでも良く、例えば、図８（１）に示すように、内部が空洞となった中空栓９としたものでも良く、図８（２）に示すように、底面が開放されたパイプ状の中空栓１０としても良い。該拡張部材は、上下動することにより中空栓の弾性ゴム壁を外側へ押し広げるものならばいずれでも良く、図８（１）に示すように、中空栓９内に、ネジ８ａにより上下動する円板状の拡張部材７ａが設けられたものでも良く、図８（２）に示すように、パイプ状中空栓１０の下端開口部に、ボルトネジ８ｃとナット８ｂにより上下動する円錐状の拡張部材７ｂが設けられたものでも良い。
【００３１】
請求項５のように、栓本体１ｂが弾性ゴム材により中空状に形成されており、該栓本体１ｂの弾性ゴム壁を外側に拡張させるための拡張部材７ａが設けられており、該拡張部材７ａはネジ８ａにより上下動するように設けられていると、図８（１）に示すように、栓本体１ｃの外径が壷の口径と一致せずに小さい場合においても、拡張部材７ａにより弾性ゴム材を外側に押し付けて、栓の外径をおおきくすることができるため、壷の口部６内周面に完全に密着させることができ、十分な密封性を確保することができる。また、栓の閉止後に再度、密封度を調整することもできる。
【００３２】
すなわち、図８（１）に示すように、栓本体１ｂを壷の口部に挿入し、ネジ８ａを締めることにより、拡張部材７ａが下降し、中空栓９の弾性ゴム壁を外側に押し付ける。壷の口部６の内周面に強く密着するため、十分に密封することができる。また、図８（２）に示すように、円錐状の拡張部材７ｂをナット８ｂの締付けにより、中空パイプ状の弾性ゴム壁を押し広げ、口部内周面に強く密着させ密封するようにしても良い。また、図９に示すように、内面側にテーパー面を形成した中空栓１１を設け、円盤状の拡張部材７ｃをナット８ｄとボルトネジ８ｅにより上昇させて、該中空栓１１の弾性ゴム壁を外側へ押し広げて壷用栓の口部６の内周面に密着させるようにしたものでも良い。
【００３３】
また、拡張部材７ａ〜７ｃを上下動させるネジ部材８ａ〜８ｅは、キャップにより覆われるように設けると、外観状は、単なる栓にしか見えないため、壷の素朴なイメージを損ねることはない。また、キャップ自体をネジ部としても良い。
【考案の効果】
【００３４】
請求項１のように、栓本体の上部に握り部となるキャップ部が固着されており、該栓本体は、硬質材による栓芯体と、弾性ゴム材による外周層の二重構造となっており、該外周層に複数の縦穴が設けられていることにより、壷などの口部の内周面が平滑でなく、粗面となっていても十分な密着性を保持することができ、かつ、壷などの口部が真円でない場合においても、縦穴のクッション効果により密着性を確保でき、壷や甕などの口部の表面状態や形状に左右されない信頼性の高い壷用栓を提供することができる。また、栓芯体は、安価なＡＢＳ樹脂などを用いることができ、高価となる弾性ゴム材は、外周層のみに使用しており、さらに縦穴が設けられているため使用量は少なく、構造も簡単であり、安価に製作することが可能となる。
【００３５】
請求項２のように、縦穴の水平断面が多角形であることにより、外周層を効果的にクッション層とすることができ、効果的にクッション性を高めることができる。
【００３６】
請求項３のように、栓本体１の上部に握り部となるキャップ２が固着されており、該栓本体１は、硬質材による栓芯体３と、弾性ゴム材による外周層４の二重構造となっており、該外周層４の内面側に縦溝による空間部５が設けられていることにより、壷などの口部の内周面が平滑でなく、粗面となっていても十分な密着性を保持することができ、かつ、壷などの口部が真円でない場合においても、縦溝による空間部５のクッション効果により密着性を確保でき、壷や甕などの口部の表面状態や形状に左右されない信頼性の高い壷用栓を提供することができる。また、栓芯体３は、安価なＡＢＳ樹脂などを用いることができ、高価となる弾性ゴム材は、外周層のみに使用しており、さらに縦溝が設けられているため使用量は少なく、安価に製作することができる。
【００３７】
請求項４のように、栓本体１ａは、硬質材による栓芯体３ａと、弾性ゴム材による外周層４ａの二重構造となっており、該弾性ゴム材によりなる外周層４ａに対して、硬質材による栓芯体３ａが回動するように設けられており、該外周層４ａの内面側に凹凸が形成されており、該凹凸に嵌合するように、栓芯体３ａの外周面も凹凸状に形成されていることにより、栓本体１ａの外径を変化させることができ、壷の口部の密封度の調整が簡単にできる。また、栓の開閉時に擦れて、栓本体１ａの外表面を損傷させることがなくなるため、栓の寿命が長くなる。
【００３８】
請求項５のように、栓本体１ｂが弾性ゴム材により中空状に形成されており、該栓本体１ｂの弾性ゴム壁を外側に拡張させるための拡張部材７ａが設けられており、該拡張部材７ａはネジ８ａにより上下動するように設けられていることにより、拡張部材７ａにより栓本体１ｂをネジ８ａにより拡張したり、伸縮したりできる。このため、密封度の調整が自由にでき、栓の取り付け、取り外し時に栓が摩耗して損傷することはなく、安心して使用できる。しかもネジにより確実に密封することができ、長期使用が可能となる。
【００３９】
以上のように本考案によると、壷や甕などの口部を確実に、かつ簡単に密封および開封することができ、摩耗・損傷の心配のない壷用栓を実現することができる。
【図面の簡単な説明】
【００４０】
【図１】本考案による外周層に縦穴を有する壷用栓の実施例を示す図である。
【図２】本考案による外周層に縦穴を有する壷用栓の縦断面を示す図である。
【図３】本考案による外周層に縦穴を有する他の壷用栓の縦断面を示す図である。
【図４】本考案による外周層に縦穴を有する壷用栓の水平断面を示す図である。
【図５】本考案による外周層に縦穴を有する壷用栓の他の実施例の水平断面を示す図である。
【図６】本考案による縦溝空間部による壷用栓の実施例を示す図である。
【図７】本考案による回転式の壷用栓の実施例を示す図である。
【図８】本考案による拡張部材を用いた壷用栓の実施例を示す図である。
【図９】本考案による拡張部材を用いた壷用栓の他の実施例を示す図である。
【図１０】従来の壷用栓の実施例を示す図である。
【考案を実施するための形態】
【００４１】
次に本考案による壷用栓が実際上どのように具体化されるかを実施例で説明する。
【００４２】
図１は、本考案による外周層に縦穴を有する壷用栓の実施例であり、図２は、その縦断面図であり、図４、図５はその水平断面図である。
【００４３】
この壷用栓３０は、硬質樹脂製のキャップ部３１の下部に栓本体３２が固着されており、該栓本体２は、図２に示すように、硬質樹脂製の栓芯体３３の外周部を覆うようにシリコーンゴム製の外周層３２が設けられた二重層構造となっている。該外周層３２に縦穴３４が複数開けられ、縦長の空間部が外周層３２に等間隔で形成されている。
【００４４】
該シリコーンゴム製外周層３２は、図４に示すように、外周層に等間隔で円形の穴が複数、貫通しないように途中まで開けられており、この穴がクッション性を有しており、壺などの口部が真円でない場合においても、十分な密着性を確保できるものである。縦穴の深さは、栓の長さにより任意に決められ、貫通していなければ良い。穴径についても、任意であり、外周層の大きさにより任意に設定でき、均一な間隔で配置されることが好ましい。
【００４５】
尚、縦穴の水平断面は、円形のほかに、台形や楕円形、その他の多角形でも良く、図５に示すように、外周層に合わせて、より空間部を大きくとれるような形状とすることが好ましい。
【００４６】
また、この壷用栓は、壷などの口部に栓本体３２を挿入することにより密閉し、栓本体３２の外周面は、シリコーンゴムとなっているため、壷などの口部内周面が平滑でなく粗面となっていても密着性があるので、密封性は十分に確保できる。また、縦穴による空間部３４、３５が形成されているため、凹凸形状に対する密着性が高められており、口部が真円でない場合においても、十分な密着性を発揮し、高い密封性を確保することができる。
【００４７】
図３は、本考案による外周層に縦穴を有する他の壷用栓の実施例であり、栓本体３５の先端側が細くなっており、外周層の縦穴３６も先端側が細くなっているもものである。先端側が細くなっているので、口部が比較的長く、小さな口部の場合などに適している。
【００４８】
細い口部の壺などの場合には、口部の内部が細くなっている場合も多く、このような口部の内部側が細くなっている場合には、この実施例のように先端側が細くなっていることにより、操作性、密閉性の良い壺用栓を提供できるものである。
【００４９】
図６は、本考案による縦溝空間部による壷用栓の実施例であり、（１）は、垂直断面図であり、（２）は、Ａ−Ａ部における水平断面図である。
【００５０】
この壷用栓は、中空の硬質樹脂製のキャップ２の下部に栓本体１が固着されており、該栓本体１は、図６（２）に示すように、中空の硬質樹脂製の栓芯体３の外周部を覆うようにシリコーンゴム製の外周層４が設けられた二重層構造となっている。該外周層４の内面側に縦溝が削設され、縦長の空間部５が形成されている。
【００５１】
該中空の栓芯体３およびシリコーンゴム製外周層４は、図６（１）に示すように、つば１２ａ、１２ｂが設けられており、該外周層のつば１２ｂの下部に設けられる止めリング１３によりキャップ２に固着されている。
【００５２】
この壷用栓は、壷などの口部に栓本体１を挿入することにより密閉する。栓本体１の外周面は、シリコーンゴムとなっているため、壷などの口部内周面が平滑でなく粗面となっていても密着性があるので、密封性は十分に確保できる。また、縦溝による空間部５が形成されているため、凹凸形状に対する密着性が高められており、口部が真円でない場合においても、十分な密着性を発揮し、高い密封性を確保することができる。
【００５３】
図７は、本考案による回転式の壷用栓の実施例を示す図であり、二重層構造の栓本体１ａは、鋸刃状断面を有する筒状の栓芯体３ａと、該栓芯体３ａの鋸刃状外面に嵌合するように、内面側が鋸刃状に形成された外周層４ａで構成されており、外周層４ａに対して、内周部である栓芯体３ａを左回り（ｂ方向）に回転できるようになっている。栓芯体３ａは、硬質樹脂材製であり、外周層４ａは、弾性ゴム材であるシリコーンゴム製である。
【００５４】
この壷用栓を用いて、壷の栓をする場合には、該栓本体１ａを壷の口部にはめ込み、内周層である栓芯体３ａをｂ方向へ回転させると、鋸刃状の嵌合部がずれて栓芯体３ａが、柔らかいシリコーンゴムによる外周層４ａを外側へ押圧して拡張する。このため、壷の口部の内周面にしっかりと密着され、確実な密封が可能となる。栓を開ける場合には栓芯体３ａを逆回転、すなわち、ａ方向に回転させることにより、外周層４ａは元に戻り、収縮するため、壷の口部内周面より剥離し、簡単に栓を引き抜くことができる。このため、栓の開閉により栓外周面が壷の口部の内周面と擦れて損傷、摩耗することはない。
【００５５】
図８は、本考案による拡張部材を用いた壷用栓の実施例を示す図であり、（１）は、中空栓９内に円板状の拡張部材７ａが設けられた壷用栓の実施例を示す垂直断面図であり、（２）は、パイプ状中空栓１０下部に円錐状の拡張部材７ｂが設けられた壷用栓の実施例を示す垂直断面図である。
【００５６】
（１）は、中空な硬質樹脂製キャップ２ｂの下部に中空のシリコーンゴム製栓本体１ｂが固着されており、該中空キャップ２ｂは、その頂部１４ａが取り外し自在に螺着されており、内部に締付けネジ８ａが設けられている。該ネジ８ａは、キャップ底板１５ａに螺着されて、該中空栓９内まで貫通しており、該ネジ８ａの下端部に、円板状の硬質樹脂製拡張部材７ａが回転自在に取り付けられている。該シリコーンゴム製中空栓９は、下部が狭められ、側面がテーパー状となった筒状の中空体である。
【００５７】
この壷用栓は、壷の口部６に栓本体１ｂをはめ込んでキャップ２ｂの頂部１４ａを外し、内部のネジ８ａを締め付ける。ネジ８ａの締付けにより、円板状の拡張部材７ａが下降し、シリコーンゴム製の中空栓９のテーパー状の側面１６を外側へ押圧する。このため、シリコーンゴム製栓壁が壷の口部内周面に押しつけられて、密閉される。また、予め、壷などの口部６に合わせて、栓本体１ｂの外径を調整した後に、栓をしても良い。ネジで締めることができるため、確実に、かつ簡単に密封することができる。
【００５８】
締付け後は、キャップ２ｂの頂部１４ａを取り付けると、通常の栓と変らず、外観を損ねることはない。また、キャップ２ｂは、樹脂製のため、上面を木目調に処理したり、布で覆ったりするなど、壷の色彩、形状などに合わせて自由にデザインすることができ、商品名入りのプレートなどをはめ込んで取り付けても良い。栓の取り外しは、ネジ８ａを緩めることにより、簡単に取り外すことができ、口部６の内周面と擦れて栓本体１ｂが破損することはない。
【００５９】
（２）は、中空のキャップ２ｃ下部に、栓本体１ｃが設けられており、該栓本体１ｃは、シリコーンゴム製で底面が開放されたパイプ状の中空栓１０であり、該パイプ状中空栓１０下部に、円錐状の硬質樹脂製拡張部材７ｂが設けられており、該拡張部材７ｂの上部にはボルトネジ８ｃが固着されており、上端部は、キャップ底板１５ｂを貫通して中空キャップ２ｃ内部に達しており、ナット８ｂが取り付けられている。該中空キャップ２ｃは、上面１４ｂがキャップ底板１５ｂの外周部を覆うように螺着されており、該螺着部が外部より見えないようになっている。
【００６０】
この壷用栓は、壷の口部６に栓本体１ｃをはめ込み、キャップ２ｃ内のナット８ｂを締め付けることにより、円錐状の拡張部材７ｂを上昇させ、シリコーンゴム製の中空栓１０を押し広げ、シリコーンゴム壁を壷の口部６の内周面に密着させ、密封するようにしたものである。構造上、外径の小さな栓を製作することが可能であり、細長い壷など比較的口部が小さいものにも使用することができる。
【００６１】
図９は、本考案による拡張部材を用いた壷用栓の他の実施例であり、中空キャップ２ｄの下部に栓本体１ｄが取り付けられており、該栓本体１ｄは、シリコーンゴム製の中空栓１１となっており、内周面下部にテーパーが設けられている。該テーパー面部に円盤状の硬質樹脂製の拡張部材７ｃが設けられており、該拡張部材７ｃの上部にはボルトネジ８ｅが固着されており、上端部は、キャップ底板１５ｃを貫通して中空キャップ２ｄ内部に達しており、ナット８ｄが取り付けられている。該中空キャップ２ｄは、中空栓１１が取り付けられたキャップ底板１５ｃとその上部に取り付けられる上部カバー１４ｃにより構成され、該上部カバー１４ｃは、容易に着脱できるように、キャップ底板に螺着されている。
【００６２】
この壷用栓は、壷の口部６に栓本体１ｄをはめ込み、キャップ２ｄの上部カバー１４ｃを外し、内部のナット８ｂを締め付けることにより、円盤状の拡張部材７ｃを上昇させる。拡張部材７ｃの上昇により、柔らかいシリコーンゴム製の中空栓１１の側壁面を押し広げ、シリコーンゴム側壁面を壷の口部６の内周面に押圧して密着させ、密封するようにしたものである。拡張部材７ｃが壷内の酒などと接触することはなく、また、壷の内部側より上方向に押圧しているため、安全でより確実に密封することができる。
【符号の説明】
【００６３】
１、１ａ、１ｂ、１ｃ、１ｄ  栓本体
２、２ｂ、２ｃ、２ｄ、３１  キャップ
３、３ａ、３３  栓芯体（硬質樹脂）
４、４ａ、３２  外周層（シリコーンゴム）
５  空間部（縦溝）
６  壷の口部
７ａ、７ｂ、７ｃ  拡張部材
８ａ  ネジ
８ｂ、８ｄ  ナット
８ｃ、８ｅ  ボルトネジ
９、１０、１１  中空栓
１２ａ、１２ｂ  つば部
１３  止めリング
１５ａ、１５ｂ、１５ｃ  キャップ底板
１６  テーパー側面
３０  壺用栓
３４、３５  縦穴
【図１】
0003162180.tif 000003
【図２】
0003162180.tif 000004
【図３】
0003162180.tif 000005
【図４】
0003162180.tif 000006
【図５】
0003162180.tif 000007
【図６】
0003162180.tif 000008
【図７】
0003162180.tif 000009
【図８】
0003162180.tif 000010
【図９】
0003162180.tif 000011
【図１０】
0003162180.tif 000012
【手続補正書】
【提出日】平成22年6月18日(2010.6.18)
【手続補正１】
【補正対象書類名】実用新案登録請求の範囲
【補正対象項目名】全文
【補正方法】変更
【補正の内容】
【実用新案登録請求の範囲】
【請求項１】
壷などの容器の口部に嵌合して塞ぐための栓において、栓本体の上部に、握り部となるキャップ部が固着されており、該栓本体は、硬質材による栓芯体と、弾性ゴム材による外周層の二重構造となっており、該外周層に複数の縦穴が設けられていることを特徴とする壷用栓。
【請求項２】
前記の外周層に設けられた縦穴の水平断面が多角形であることを特徴とする請求項１に記載の壷用栓。
【請求項３】
壷などの容器の口部に嵌合して塞ぐための栓において、栓本体の上部に、握り部となるキャップ部が固着されており、該栓本体は、硬質材による栓芯体と、弾性ゴム材による外周層の二重構造となっており、該外周層の内面側に縦溝による空間部が設けられていることを特徴とする壷用栓。
【請求項４】
壷などの容器の口部に嵌合して塞ぐための栓において、栓本体は、硬質材による栓芯体と、弾性ゴム材による外周層の二重構造となっており、該弾性ゴム材によりなる外周層に対して、硬質材による栓芯体が回動するように設けられており、該外周層の内面側に凹凸が形成されており、該凹凸に嵌合するように、栓芯体の外周面も凹凸状に形成されていることを特徴とする壷用栓。
【請求項５】
壷などの容器の口部に嵌合して塞ぐための栓において、栓本体が弾性ゴム材により中空状に形成されており、該栓本体の中空部の内部側に設けられ、ネジにより上下動し、中空部の弾性ゴム壁を内側から外側に拡張させる拡張部材が設けられていることを特徴とする壷用栓。